(57)【特許請求の範囲】
【請求項１】
設定された検索条件を満たす施設を検索する施設検索手段と、
前記施設検索手段によって検索された施設に対応する位置に表示される文字列をこの施設を示す文字列に設定する表示文字列設定手段と、
前記施設検索手段によって検索された施設の所在地が含まれる地図画像を描画するとともに、この地図画像に前記表示文字列設定手段によって設定された文字列を含ませる地図描画手段と、
前記地図描画手段によって描画された地図画像を表示する表示手段と、
を備え、前記施設検索手段によって検索された施設に対応する位置に表示される文字列は、非施設検索時については表示縮尺に応じた内容が設定されており、施設検索時には検索された施設を示す文字列に変更されることを特徴とするナビゲーション装置。
【請求項２】
設定された検索条件を満たす施設を検索する施設検索手段と、
前記施設検索手段によって検索された施設に対応する位置に表示される文字列をこの施設を示す文字列に設定する表示文字列設定手段と、
前記施設検索手段によって検索された施設の所在地が含まれる地図画像を描画するとともに、この地図画像に前記表示文字列設定手段によって設定された文字列を含ませる地図描画手段と、
前記地図描画手段によって描画された地図画像を表示する表示手段と、
を備え、前記施設検索手段によって検索された施設に対応する位置に表示される文字列は、非施設検索時については表示縮尺に応じた内容が設定されており、施設検索時には、前記表示縮尺に応じた内容と、検索された施設を示す文字列の両方が含まれることを特徴とするナビゲーション装置。
【請求項３】
請求項２において、
前記施設検索時に含まれる２種類の文字列は、少なくとも一方の表示位置が変更されることを特徴とするナビゲーション装置。
【請求項４】
請求項３において、
前記２種類の文字列の中で、前記施設検索手段によって検索された施設を示す文字列を強調表示することを特徴とするナビゲーション装置。
【請求項５】
請求項３において、
前記２種類の文字列の中で、前記施設検索手段によって検索された施設を示す文字列の表示位置が、この施設の所在地との関係がわかるように変更されることを特徴とするナビゲーション装置。
【請求項６】
請求項１〜５のいずれかにおいて、
前記施設検索手段によって検索された施設を目的地に設定して経路探索を行う経路探索手段をさらに備えることを特徴とするナビゲーション装置。
【請求項７】
請求項６において、
前記地図描画手段は、前記経路探索手段によって決定された走行経路を強調した地図画像を描画する際に、前記走行経路上の右左折交差点に対応する表示位置が設定された文字列を含ませることを特徴とするナビゲーション装置。
【請求項８】
請求項７において、
前記走行経路上の右左折交差点に対応する表示位置が設定された文字列は、前記走行経路の表示時にはその時点における表示縮尺に対応して表示対象となっている文字列がある場合にはその文字列であり、表示対象となっている文字列がない場合には表示縮尺を変更したときに表示される建物あるいは地名に対応する文字列であることを特徴とするナビゲーション装置。
【発明の詳細な説明】
【技術分野】
【０００１】
本発明は、地図画像に含まれる建物やテナントの名称等に対応する文字列を表示するナビゲーション装置に関する。
【背景技術】
【０００２】
従来から、地図画像上に表示する文字データが重なってしまう場合に、優先順位の高い文字データを優先して表示することにより、重ねて表示した場合の見にくさを改善したナビゲーション装置が知られている（例えば、特許文献１参照。）。
【特許文献１】特開平７−３０１５４２号公報（第５−８頁、図１−１１）
【発明の開示】
【発明が解決しようとする課題】
【０００３】
ところで、特許文献１に開示されたナビゲーション装置では、数種類の優先順位の決め方が示されており、いずれかの優先順位にしたがって文字データを表示することになるが、必ずしも利用者の操作結果を反映した文字表示を行うことができないという問題があった。例えば、利用者が経路探索等の目的地となる施設検索を行い、所定の条件を満たす施設を検索してその周辺の地図画像を表示した場合を考える。この施設が建物の１フロアに入っているテナントの場合であっても、従来は、この建物の名称やこの建物の所在地の住所等が表示されるだけであり、施設名称が表示されることはほとんどない。同じ建物内に複数のテナントが入居している場合もあるため、例えば利用者が希望してもその中のいずれかのテナント名が優先的に表示されることはない。また、検索した施設を目的地とした走行経路を経路探索によって設定した場合には、その経路周辺の文字データのみを優先的に表示させることができれば、走行経路の目印としても施設名称や地番表示等がわかりやすくなると考えられるが、単に文字データの優先順位を設定しただけではこのような表示を行うことはできない。
【０００４】
本発明は、このような点に鑑みて創作されたものであり、その目的は、利用者の操作結果を反映した文字表示を行うことができるナビゲーション装置を提供することにある。
【課題を解決するための手段】
【０００５】
上述した課題を解決するために、本発明のナビゲーション装置は、設定された検索条件を満たす施設を検索する施設検索手段と、施設検索手段によって検索された施設に対応する位置に表示される文字列をこの施設を示す文字列に設定する表示文字列設定手段と、施設検索手段によって検索された施設の所在地が含まれる地図画像を描画するとともに、この地図画像に表示文字列設定手段によって設定された文字列を含ませる地図描画手段と、地図描画手段によって描画された地図画像を表示する表示手段とを備えている。これにより、利用者が施設検索を行ったときに、検索された施設周辺の地図表示にこの施設を示す文字列を確実に含ませることができ、利用者の操作結果を反映した文字表示を行うことが可能となる。
【０００６】
また、上述した施設検索手段によって検索された施設に対応する位置に表示される文字列は、非施設検索時については表示縮尺に応じた内容が設定されており、施設検索時には検索された施設を示す文字列に変更される。これにより、利用者が検索を指示した場合のみ検索された施設を示す文字列を表示させ、それ以外の場合には通常の文字列を表示させる通常の地図表示が可能となる。
【０００７】
また、上述した施設検索手段によって検索された施設に対応する位置に表示される文字
列は、非施設検索時については表示縮尺に応じた内容が設定されており、施設検索時には、表示縮尺に応じた内容と、検索された施設を示す文字列の両方が含まれる。これにより、利用者が検索を指示した場合のみ、検索された施設を示す文字列を追加表示させ、それ以外の場合には通常の文字列を表示させる通常の地図表示が可能となる。
【０００８】
また、上述した施設検索時に含まれる２種類の文字列は、少なくとも一方の表示位置が変更されることが望ましい。これにより、もともと表示位置が同じであってそのまま表示すると完全に表示位置が重なってしまうことを回避することができる。
【０００９】
また、上述した２種類の文字列の中で、施設検索手段によって検索された施設を示す文字列を強調表示することが望ましい。これにより、通常の表示内容に対して追加された文字列であること、すなわち利用者の操作結果を反映した文字表示がおこなわれたことを利用者に知らせることができる。
【００１０】
また、上述した２種類の文字列の中で、施設検索手段によって検索された施設を示す文字列の表示位置が、この施設の所在地との関係がわかるように変更されることが望ましい。これにより、文字列の表示位置をずらした場合であっても、追加した文字列と施設との対応関係が明確になる。
【００１１】
また、上述した施設検索手段によって検索された施設を目的地に設定して経路探索を行う経路探索手段をさらに備えることが望ましい。これにより、検索された施設周辺の地図表示にこの施設を示す文字列を確実に含ませることで、利用者は、経路探索の目的地として設定された施設が、検索によって抽出した施設であることを確認することができ、利用者が希望した施設を目的地とした経路探索を確実に実施することができる。
【００１２】
また、上述した地図描画手段は、経路探索手段によって決定された走行経路を強調した地図画像を描画する際に、走行経路上の右左折交差点に対応する表示位置が設定された文字列を含ませることが望ましい。これにより、経路探索によって決定された走行経路が地図画像に追加されたときに、この走行経路に沿った車両走行の目印となる右左折交差点近傍の文字列を確実に含ませることができ、利用者の操作結果を反映した文字表示を行うことが可能となる。
【００１３】
また、上述した走行経路上の右左折交差点に対応する表示位置が設定された文字列は、走行経路の表示時にはその時点における表示縮尺に対応して表示対象となっている文字列がある場合にはその文字列であり、表示対象となっている文字列がない場合には表示縮尺を変更したときに表示される建物あるいは地名に対応する文字列であることが望ましい。これにより、走行経路の各右左折交差点に目印となる文字列を確実に表示させることができる。
【発明を実施するための最良の形態】
【００１４】
以下、本発明を適用した一実施形態のナビゲーション装置について、図面を参照しながら説明する。図１は、一実施形態のナビゲーション装置の構成を示す図である。図１に示すナビゲーション装置は、ナビゲーションコントローラ１、ＤＶＤ２、ディスク読取装置３、リモートコントロール（リモコン）ユニット４、車両位置検出部５、ディスプレイ装置６、オーディオ部７を含んで構成されている。
【００１５】
ナビゲーションコントローラ１は、ナビゲーション装置の全体を制御する。このナビゲーションコントローラ１は、ＣＰＵ、ＲＯＭ、ＲＡＭ等を用いて所定の動作プログラムを実行することによりその機能が実現される。
【００１６】
ＤＶＤ２は、地図表示や経路探索など各種のナビゲーション動作を行うために必要な地図データが格納されている情報記録媒体である。地図データには、地図表示に必要な地図画像データと経路探索に必要な道路データとが含まれている。また、この地図データには、名称等が指定された施設（テナント名等）の検索に必要なデータも含まれている。このＤＶＤ２には、経度および緯度で適当な大きさに区切られた矩形形状の図葉を単位とした地図データが格納されている。各図葉の地図データは、図葉番号を指定することにより特定され、読み出すことが可能となる。
【００１７】
ディスク読取装置３は、１枚あるいは複数枚のＤＶＤ２が装填可能であり、ナビゲーションコントローラ１の制御によっていずれかのＤＶＤ２から地図データの読み出しを行う。なお、装填されるディスクは必ずしもＤＶＤでなくてもよく、ＣＤでもよい。また、ＤＶＤとＣＤの双方を選択的に装填可能としてもよい。
【００１８】
リモコンユニット４は、上下左右等の方向を指定するジョイスティックと、数字を入力するテンキーや各種の設定などを確定する「決定キー」などの各種の操作キーとを備えており、操作内容に応じた信号をナビゲーションコントローラ１に出力する。本実施形態では、施設検索においてテナント名等を指定する操作は、このリモコンユニット４を用いて行われる。
【００１９】
車両位置検出部５は、例えば、ＧＰＳ受信機、方位センサ、距離センサなどを備えており、所定のタイミングで車両位置（経度、緯度）の検出を行い、検出データをナビゲーションコントローラ１に向けて出力する。
【００２０】
ディスプレイ装置６は、ナビゲーションコントローラ１から出力される描画データに基づいて、自車位置周辺の地図画像や周辺施設の検索結果などの各種画像を表示する。オーディオ部７は、ナビゲーションコントローラ１から入力される音声信号に基づいて生成した案内音声等を車室内に出力する。
【００２１】
また、図１に示すように、ナビゲーションコントローラ１は、地図バッファ１０、地図読出制御部１２、地図描画部１４、車両位置計算部２０、経路探索処理部２２、経路メモリ２４、走行案内処理部２６、施設検索部３０、入力処理部４０、表示処理部５０を含んで構成されている。
【００２２】
地図バッファ１０は、ディスク読取装置３によってＤＶＤ２から読み出された地図データを一時的に格納する。地図読出制御部１２は、車両位置計算部２０により算出される車両位置や入力処理部４０からの指示に応じて、所定範囲の地図データの読み出し要求をディスク読取装置３に出力する。また、この読み出される地図データには、地図画像の描画に必要なデータの他に、施設検索に必要なデータや経路探索に必要なデータも含まれている。地図描画部１４は、地図バッファ１０に格納された地図データに基づいて、地図画像を表示するために必要な描画処理を行って地図画像描画データを作成する。この地図描画部１４には表示フラグ変更部１６、ノード表示変更部１８が含まれている。表示フラグ変更部１６は、一の表示位置に対応する複数の文字列のそれぞれに設定された表示フラグのオン／オフを切り替える。これら複数の文字列は、表示縮尺等に対応して用意されており、表示フラグがオンになった文字列が実際の表示に用いられる。ノード表示変更部１８は、経路探索によって決定された走行経路上の右左折交差点に対応する各ノード毎にその近傍に表示位置が設定された文字列の表示状態を変更する。
【００２３】
車両位置計算部２０は、車両位置検出部５から出力される検出データに基づいて自車位置を計算するとともに、計算した自車位置が地図の道路上にない場合には地図の道路形状と走行軌跡とに基づいて自車位置を修正するマップマッチング処理を行う。
【００２４】
経路探索処理部２２は、出発地と目的地との間を所定の探索条件にしたがって結ぶ走行経路を探索する。経路メモリ２４は、経路探索処理部２２によって抽出された走行経路に対応する経路データを格納する。例えば、走行経路上の右左折交差点ノードを特定するデータ（ノード番号等）が経路データとして格納される。走行案内処理部２６は、経路探索処理部２２による探索処理によって得られた走行経路を地図上に重ねて表示するための走行経路描画データを生成するとともに、この走行経路に沿って車両を誘導するために必要な交差点案内等の音声信号を生成する。
【００２５】
施設検索部３０は、利用者によって施設名称、ジャンル、電話番号等の検索条件が指定されたときに、対応する施設を検索する。１回の検索によって複数の施設が抽出された場合には、さらに検索条件を絞って２回目以降の検索が行うことができ、最終的に一の施設が決定される。決定された施設は、その周辺の地図画像を表示したり、経路探索の目的地に設定するために用いられる。
【００２６】
入力処理部４０は、リモコンユニット４から入力される各種の操作指示に対応する動作を行うための命令をナビゲーションコントローラ１内の各部に向けて出力する。表示処理部５０は、地図描画部１４によって生成される地図画像描画データが入力されており、この描画データに基づいて所定範囲の地図画像をディスプレイ装置６の画面に表示する。また、走行案内処理部２６によって生成される強調表示用の走行経路描画データが入力されると、表示処理部５０は、この描画データを地図画像に重ねてディスプレイ装置６の画面に表示する。
【００２７】
上述した施設検索部３０が施設検索手段に、表示フラグ変更部１６が表示文字列設定手段に、地図描画部１４が地図描画手段に、表示処理部５０、ディスプレイ装置６が表示手段に、経路探索処理部２２が経路探索手段にそれぞれ対応する。
【００２８】
本実施形態のナビゲーション装置はこのような構成を有しており、次に、施設検索によって抽出された施設周辺の地図画像を表示する動作と、検索された施設を目的地に設定して経路誘導を行う場合の表示動作について説明する。
【００２９】
施設検索に伴う表示動作
図２は、施設検索によって抽出された施設周辺の地図画像を表示する動作手順を示す流れ図である。施設検索部３０は、利用者によって施設検索が指示されたか否かを判定しており（ステップ１００）、検索指示がなされない場合には否定判断を行ってこの判定を繰り返す。また、施設検索が指示されるとステップ１００の判定において肯定判断が行われ、次に、施設検索部３０は、利用者によって検索条件が入力されると（ステップ１０１）、入力された検索条件を満たす一の施設を抽出する（ステップ１０２）。１回の検索条件入力では一の施設を抽出できない場合には、複数回の検索条件入力が繰り返され、最終的に利用者が希望する一の施設が抽出される。
【００３０】
次に、地図描画部１４内の表示フラグ変更部１６は、検索によって抽出された一の施設に対応する文字テーブルを読み出し（ステップ１０３）、この読み出した文字テーブル内の表示フラグの内容を変更する（ステップ１０４）。
【００３１】
図３は、検索によって抽出された一の施設に対応する文字テーブルの具体例を示す図である。この文字テーブルは、検索された施設に対応してその近傍に表示される文字列の種類（ジャンル、表示文字内容）を示すものであり、ＤＶＤ２から読み出されて地図バッファ１０に格納された地図データに含まれている。図３において、「レベル」は表示縮尺に対応しており、レベルの値が小さいほど小さな表示縮尺（広域表示）が対応している。なお、図３に示す「表示縮尺」は表示画面上の単位長さに対応する実際の距離を示しており、実際の表示縮尺はこれらの距離の逆数で示される。また、「表示文字」は選択的に表示される文字列を、「ジャンル」は各文字列に対応するジャンルを示している。また、「フラグ」は、「表示文字」で示された文字列の表示状態を示す表示フラグであり、オン（ＯＮ）が表示状態を、オフ（ＯＦＦ）が非表示状態を示している。検索された施設周辺の地図表示以外の通常の地図表示（例えば自車位置周辺の地図表示）においては、表示縮尺の値に対応する一の表示フラグがオンに設定され、検索された施設の所在地周辺に表示される。図３に示す例では、例えば現在の表示縮尺が１００ｍに設定されており、レベル「１」に対応する表示フラグがオンに設定されている。
【００３２】
図４は、表示フラグの内容が変更された後の文字テーブルの具体例を示す図である。施設検索によって、いわき市平にある「○○デパート」内にテナントとして入っている「△△めがね」が抽出されたものとする。このような場合に、検索された施設の表示文字「△△めがね」に対応する表示フラグがオンに変更され、それまで表示対象であった表示文字「○○デパート」に対応する表示フラグがオフに変更される。このようにして、表示縮尺に関係なく施設検索の結果にあわせて変更された表示フラグは、全ての縮尺（５０ｍ〜５００ｋｍ）において有効となる。
【００３３】
次に、地図描画部１４は、変更された文字テーブルを参照して、検索された施設周辺の地図画像を描画する（ステップ１０５）。この描画処理において、地図描画部１４は、文字テーブルにおいて表示フラグがオンになっている表示文字「△△めがね」が用いられて表示対象となる文字列が描画される。表示処理部５０は、地図描画部１４によって生成された地図画像描画データを用いて、検索された施設周辺の地図画像をディスプレイ装置６に表示する（ステップ１０６）。
【００３４】
図５は、検索された施設周辺の地図画像表示の具体例を示す図である。検索された施設の所在地が画面中央に設定された地図画像描画が行われ、その近傍の所定位置に文字列「△△めがね」が表示される。なお、実際には、検索結果として一の施設が抽出され、その周辺の地図画像が表示される場合には、この施設に対応するアイコンの画像や施設の詳細情報等が同じ画面内に表示されるが、図５に示した例では、施設の所在地近傍の文字列のみを説明するためにそれ以外のこれらの表示については省略されている。図６は、比較のために従来の表示例を示す図である。図６に示すように、従来は、表示縮尺が「５０ｍ」に設定されている場合に、検索された施設周辺の地図画像には、この表示縮尺に対応して表示フラグがオンに設定されている表示文字「○○デパート」が含まれている。
【００３５】
このように、利用者が施設検索を行ったときに、検索された施設周辺の地図画像表示を行う際に、この施設を示す文字列を確実に含ませることができ、利用者の操作結果を反映した文字表示を行うことが可能となる。特に、利用者が検索を指示した場合のみ検索された施設を示す文字列を表示させ、それ以外の場合には通常の文字列を表示させる通常の地図表示が可能となる。
【００３６】
なお、上述した説明では、検索された施設周辺の地図画像表示を行う際に、表示縮尺に応じて表示される通常の文字列に代えて施設に対応する文字列を表示させたが、これら２つの文字列の両方を表示するようにしてもよい。図７は、２つの文字列を表示させる場合の文字テーブルの内容を示す図である。図７に示すように、表示縮尺に応じて表示文字「○○デパート」の表示フラグがオンになっている場合には、この表示フラグの設定を維持した状態で、検索された施設「△△めがね」に対応する表示フラグがオンに変更される。
【００３７】
図８は、図７に示す文字テーブルに対応する検索施設周辺の地図画像の表示例を示す図である。図７等に示した文字テーブルに含まれる各表示文字は、もともと同一の表示位置が設定されているため、２つの文字列をそのまま表示してしまうと完全に重なってしまう。そこで、地図描画部１４は、図８に示すように、いずれか一方を元々設定されている表示位置に表示させ（図８では「○○デパート」）、他方をずらした表示位置に表示させている（図８では「△△めがね」）。これにより、もともと表示位置が同じであってそのまま表示すると完全に表示位置が重なってしまうことを回避することができる。
【００３８】
特に、上述した２種類の文字列の中で、検索された施設を示す文字列を強調表示することが望ましい。図８に示す表示例では、文字列「△△めがね」を矩形枠で囲むことで強調表示しているが、色を変える等の他の方法で強調表示してもよい。これにより、通常の表示内容に対して追加された文字列であること、すなわち利用者の操作結果を反映した文字表示がおこなわれたことを利用者に知らせることができる。さらに、検索された施設を示す文字列の表示位置が変更される場合に、この施設の所在地との関係がわかるように変更されることが望ましい。図８に示す表示例では、所在地を示す十字マークと文字列「△△めがね」を囲む矩形枠とを関連づける補助線が追加されて、これらの関係がわかるようになっている。これにより、文字列の表示位置をずらした場合であっても、追加した文字列と施設との対応関係が明確になる。
【００３９】
経路誘導に伴う表示動作
図９は、検索された施設を目的地に設定して経路誘導を行う場合の表示動作の動作手順を示す流れ図である。図２に示す動作手順にしたがって一の施設が検索されて目的地として設定された後に（ステップ２００）、経路探索処理部２２はこの目的地までの走行経路を経路探索処理によって決定する（ステップ２０１）。例えば、図５に示す検索施設周辺の地図画像が表示された状態で、右下の「目的地」ボタンを選択することで、この検索された施設を経路探索の目的地として設定することができる。経路メモリ２４には、決定された走行経路に沿って順番に配置された右左折交差点に対応する交差点ノードを特定する情報が格納される。
【００４０】
次に、走行案内処理部２６は、経路誘導処理が開始されたか否かを判定し（ステップ２０２）、経路誘導処理が開始されるまで否定判断を行ってこの判定を繰り返す。利用者によって経路誘導の開始が指示されるとステップ２０２の判定において肯定判断が行われ、地図描画部１４内のノード表示変更部１８は、経路メモリ２４に格納された各交差点ノードに対応する表示フラグがオンに設定されているか否かを判定し（ステップ２０３）、設定されていない場合には否定判断を行った後に、表示フラグをオンに変更する（ステップ２０４）。
【００４１】
図１０は、経路誘導開始時における各交差点ノードの表示フラグの設定状態を示すノードテーブルの具体例を示す図である。このノードテーブルには、その時点における表示縮尺に対応する各交差点ノード近傍の表示文字の内容、ジャンルと表示フラグの設定内容とが含まれている。図１０に示すノードテーブルの下位の２行に含まれる表示文字「○○デパート」、「△△めがね」は、検索された施設に対応するものであり、初期状態において表示フラグがオンに設定されている。また、その時点における表示縮尺ではそれ以外の交差点ノードについては表示フラグがオフに設定されているものとする。なお、それ以外の交差点ノードのそれぞれには、表示縮尺に応じて建物あるいは地名に対応する表示文字が設定されている。
【００４２】
図１１は、ノード表示変更部１８において表示フラグがオンに変更されたノードテーブルの具体例を示す図である。図１１に示すように、経路探索によって決定された走行経路に沿って存在する右左折交差点の交差点ノードについては、全ての表示フラグがオンに変更される。
【００４３】
表示フラグがオンに変更された後、あるいは、もともとその時点における表示縮尺に対応して全ての交差点ノードの表示フラグがオンに設定されている場合にはステップ２０３の判定において肯定判断された後、地図描画部１４は、地図画像の描画を行う（ステップ２０５）。この描画処理においては、描画範囲に含まれる走行経路に沿った各交差点ノードについては、その近傍に表示される文字列の内容が図１１に示したノードテーブルを用いて決定される。表示処理部５０は、地図描画部１４によって生成された地図画像描画データを用いて、検索された施設周辺の地図画像をディスプレイ装置６に表示する（ステップ２０６）。
【００４４】
図１２は、走行経路を含む地図画像表示の具体例を示す図である。図１２に示す表示例では、自車位置から目的地「△△めがね」までの強調表示された走行経路全体が１つの表示画面に含まれており、この走行経路に沿った全ての右左折交差点の近傍に住所や建物を示す文字列が表示される。なお、図１２に示す表示例では、走行経路に沿った文字列のみが表示され、表示範囲に含まれるそれ以外の文字列が非表示状態に設定されている。非表示状態の設定は、表示範囲に含まれる文字テーブル（図３）の各表示フラグをオフに変更すればよい。
【００４５】
走行案内処理部２６は、車両が目的地周辺に到達したか否かを判定し（ステップ２０７）、到達していない場合には否定判断が行われて、ステップ２０５の地図描画処理、ステップ２０６の表示処理が繰り返される。また、車両が目的地周辺に到達するとステップ２０７の判定において肯定判断が行われ、一連の経路誘導動作が終了する。
【００４６】
このように、経路探索によって決定された走行経路が地図画像に追加されたときに、この走行経路に沿った車両走行の目印となる右左折交差点近傍の文字列を確実に含ませることができ、利用者の操作結果を反映した文字表示を行うことが可能となる。
【００４７】
なお、本発明は上記実施形態に限定されるものではなく、本発明の要旨の範囲内において種々の変形実施が可能である。上述した実施形態では、検索された施設周辺の地図表示を行う際にこの施設の名称を示す文字列を表示したが、一度このような表示を行った場合にはこの表示状態に対応する文字テーブルの内容を保持しておいて、次にその施設周辺の地図画像を表示する際には、施設検索の有無にかかわらずこの施設の名称を表示するようにしてもよい。
【図面の簡単な説明】
【００４８】
【図１】一実施形態のナビゲーション装置の構成を示す図である。
【図２】施設検索によって抽出された施設周辺の地図画像を表示する動作手順を示す流れ図である。
【図３】検索によって抽出された一の施設に対応する文字テーブルの具体例を示す図である。
【図４】表示フラグの内容が変更された後の文字テーブルの具体例を示す図である。
【図５】検索された施設周辺の地図画像表示の具体例を示す図である。
【図６】従来の表示例を示す図である。
【図７】２つの文字列を表示させる場合の文字テーブルの内容を示す図である。
【図８】図７に示す文字テーブルに対応する検索施設周辺の地図画像の表示例を示す図である。
【図９】検索された施設を目的地に設定して経路誘導を行う場合の表示動作の動作手順を示す流れ図である。
【図１０】経路誘導開始時における各交差点ノードの表示フラグの設定状態を示すノードテーブルの具体例を示す図である。
【図１１】ノード表示変更部において表示フラグがオンに変更されたノードテーブルの具体例を示す図である。
【図１２】走行経路を含む地図画像表示の具体例を示す図である。
【符号の説明】
【００４９】
１  ナビゲーションコントローラ
４  リモコンユニット
６  ディスプレイ装置
１０  地図バッファ
１２  地図読出制御部
１４  地図描画部
１６  表示フラグ変更部
１８  ノード表示変更部
２０  車両位置計算部
２２  経路探索処理部
２４  経路メモリ
２６  走行案内処理部
３０  施設検索部
４０  入力処理部
５０  表示処理部
【図１】
0004841897.tif 000002
【図２】
0004841897.tif 000003
【図３】
0004841897.tif 000004
【図４】
0004841897.tif 000005
【図５】
0004841897.tif 000006
【図６】
0004841897.tif 000007
【図７】
0004841897.tif 000008
【図８】
0004841897.tif 000009
【図９】
0004841897.tif 000010
【図１０】
0004841897.tif 000011
【図１１】
0004841897.tif 000012
【図１２】
0004841897.tif 000013